(57)【要約】      （修正有）【課題】特にカギを使わなくてもモバイルデバイスをロックできるセキュリティロックを提供する。【解決手段】モバイルデバイスのセキュリティロックは、本体１０と、錠部材２０と、ロックユニット３０を有し、錠部材２０及びロックユニット３０は、本体１０に取り付けられ、使用する時、ロックユニット３０をモバイルデバイスに挿入すれば、ロックユニット３０の摺動プレート３２をしっかりとモバイルデバイスの係合チャンバーに係合させ、これによれば、ロックユニット３０を確固に係合チャンバーに係合すると共に、ロックユニット３０も本体１０に係合しているため、カギを使わなくてもモバイルデバイスをロックできる。さらに、本体１０に緩和部材４０が設置され、緩和部材４０を有すれば、本体１０及びモバイルデバイスからの押圧力を緩和する効果を有するので、本体１０がモバイルデバイスの側面を傷つけることはない。【選択図】図２
0003216123.tif 000002
【実用新案登録請求の範囲】
【請求項１】
本体と、錠部材と、ロックユニットを有し、
前記本体は、一端に、内部と外部を連通する開口が形成されると共に、内部に収容凹部が凹設され、該収容凹部に、少なくとも１つの従動部材が弾性部材により移動可能に設置され、該従動部材は、当接部及び係合部を備え、該開口の近傍に、少なくとも１つの制限凹部が凹設され、
前記錠部材は、回転可能に本体に取り付けられ、芯及びカムを備え、該芯は、本体の内部に向かって設けられると共に、該カムは、本体の外部に向かって設けられ、該錠部材が本体に対して回転することにより、該芯が少なくとも１つの従動部材の当接部に当接され、
前記ロックユニットは、移動可能に本体に取り付けられ、ガイドプレート及び少なくとも１つの摺動プレートを備え、該ガイドプレートは、一端が開口を通って本体の外部から延出するように、ガイドバネを介して移動可能に本体に取り付けられ、少なくとも１つの係合凹部及び少なくとも１つの摺動凹部を備え、該係合凹部の形状は、従動部材の係合部の形状に対応しており、該摺動凹部は、一端が制限凹部と連通すると共に、他端が開口に向かって斜めに延出してガイドプレートの他側に貫通するように形成され、該摺動プレートは、一端が本体に結合するように、摺動可能にガイドプレートに設置され、該一端に制限部が設けられ、該制限部が制限凹部に挿設されることを特徴とするモバイルデバイスのセキュリティロック。
【請求項２】
前記本体にガイド凹部が凹設され、
前記ガイドプレートにおけるガイド凹部の一側に、ガイド突起が凸設され、該ガイド突起は、ガイド凹部に挿設され、
前記ガイドバネは、ガイド凹部の内壁とガイド突起との間に設置されることを特徴とする請求項１に記載のモバイルデバイスのセキュリティロック。
【請求項３】
前記本体は、２つの従動部材を備え、該２つの従動部材は、ガイドプレートの両側に対応するように収容凹部に設置され、該本体におけるガイドプレートの両側に２つの制限凹部が交差するように形成され、
前記ガイドプレートは、２つの係合凹部及び２つの摺動凹部を備え、該係合凹部の形状は、前記従動部材の係合部形状に対応し、該２つの摺動凹部は、斜めに延出して互いに交差するように、ガイドプレートの上側及び下側に形成され、更に、前記各摺動凹部は、一端を介して制限凹部と連通すると共に、他端が開口に向かって斜めに延出しながらガイドプレートの他側を貫通するように凹設され、
前記ロックユニットは、２つの摺動プレートを備え、該摺動プレートは、一端が本体に連結するように、摺動可能に摺動凹部に設置され、その一端に、制限凹部に挿設する制限部が設けられることを特徴とする請求項１に記載のモバイルデバイスのセキュリティロック。
【請求項４】
前記本体は、２つの従動部材を備え、該２つの従動部材は、ガイドプレートの両側と対応するように収容凹部に設置され、該ガイドプレートの両側に、２つの制限凹部が交差して形成され、
前記ガイドプレートは、２つの係合凹部及び２つの摺動凹部を備え、該係合凹部の形状は、従動部材の係合部形状に対応しており、該２つの摺動凹部は、斜めに延出して互いに交差するように、ガイドプレートの上側及び下側に形成され、その一端が制限凹部と連通すると共に、他端が開口に向かって斜めに延出しながらガイドプレートの他側を貫通するように凹設され、
前記ロックユニットは、２つの摺動プレートを備え、該摺動プレートは、一端が本体に連結するように、摺動可能に摺動凹部に設置されると共に、その一端に、制限凹部に挿設する制限部が設けられることを特徴とする請求項２に記載のモバイルデバイスのセキュリティロック。
【請求項５】
前記芯は、楕円形を呈し、前記錠部材が本体に対して回転すると、該芯が従動部材の当接部に当接することを特徴とする請求項１または２に記載のモバイルデバイスのセキュリティロック。
【請求項６】
前記芯は、楕円形を呈し、前記錠部材が本体に対して回転すると、該芯が従動部材の当接部に当接することを特徴とする請求項３または４に記載のモバイルデバイスのセキュリティロック。
【請求項７】
前記本体の開口に緩和部材が取り付けられ、該緩和部材は、ロックユニットの開口から延出する部分に環装されることを特徴とする請求項１乃至４の何れか１項に記載のモバイルデバイスのセキュリティロック。
【請求項８】
前記本体の開口に緩和部材が取り付けられ、該緩和部材は、ロックユニットの開口から延出する部分に環装されることを特徴とする請求項５に記載のモバイルデバイスのセキュリティロック。
【請求項９】
前記本体の開口に緩和部材が取り付けられ、該緩和部材は、ロックユニットの開口から延出する部分に環装されることを特徴とする請求項６に記載のモバイルデバイスのセキュリティロック。
【請求項１０】
ワイヤを有し、該ワイヤは、回動ヘッドを介して回転可能に本体に連結されることを特徴とする請求項９に記載のモバイルデバイスのセキュリティロック。
【考案の詳細な説明】
【技術分野】
【０００１】
本考案は、特にカギを使わなくてもモバイルデバイスをロックできるセキュリティロックに関するものである。
【背景技術】
【０００２】
パソコンやコンピュータなどのモバイルデバイスは、日常生活に普及しており、図書館やカフェの公共空間で使用する場合、モバイルデバイスをロックしなければ、席を離れている間に、モバイルデバイスを盗用されてしまう虞がある。
【０００３】
例えば、既存のセキュリティロックは、台湾特許第Ｉ４７３９３１号に開示されており、錠前を備え、該錠前は、モバイルデバイスにある係合凹部に挿設して係合することができ、該係合凹部は、断面台形を呈し、広い外部及び狭い内部を備える構成であり該錠前は、ロックユニットと、ピンと、摺動装置と、ロック装置を備え、該ロックユニットは、錠前に凸設され、先端の断面が末端の端面よりも広く、その先端を介して係合凹部に挿し込まれ、該ピンは、ロックユニットに沿って係合凹部に挿入するように嵌め込まれ、該摺動装置は、ピンと連接し、該ピンを摺動させることができ、該ロック装置は、摺動装置と連接され、ロック装置に対応したパネルカギで施錠したり解錠したりすることができる。
【先行技術文献】
【特許文献】
【０００４】
【特許文献１】台湾特許第Ｉ４７３９３１号
【考案の概要】
【考案が解決しようとする課題】
【０００５】
前記錠前を施錠したり解錠したりする時は、カギで操作する必要があることから、カギがなければ、モバイルデバイスをロックすることができないので、使用上非常に不便であった。
【０００６】
さらに、カギは、錠前の内部に挿入してピンを係合凹部に押し込むことにより錠前をロックしたり、錠前の外部に引き出して解錠したりすることができるが、解錠状態において、ピンと、ロックユニットと、係合凹部との摩擦力が、カギとピンとの摩擦力よりも大きい場合には、カギが解錠されないままロック装置から引き出されてしまう虞があるので、改良する必要があった。
【課題を解決するための手段】
【０００７】
本考案に係るモバイルデバイスのセキュリティロックは、本体と、錠部材と、ロックユニットを有し、
前記本体は、一端に、内部と外部を連通する開口が形成されると共に、内部に収容凹部が凹設され、該収容凹部に、少なくとも１つの従動部材が弾性部材により移動可能に設置され、該従動部材は、当接部及び係合部を備え、該開口の近傍に、少なくとも１つの制限凹部が凹設され、
前記錠部材は、回転可能に本体に取り付けられ、芯及びカムを備え、該芯は、本体の内部に向かって設けられると共に、該カムは、本体の外部に向かって設けられ、該錠部材が本体に対して回転することにより、該芯が少なくとも１つの従動部材の当接部に当接され、
前記ロックユニットは、移動可能に本体に取り付けられ、ガイドプレート及び少なくとも１つの摺動プレートを備え、該ガイドプレートは、一端が開口を通って本体の外部から延出するように、ガイドバネを介して移動可能に本体に取り付けられ、少なくとも１つの係合凹部及び少なくとも１つの摺動凹部を備え、該係合凹部の形状は、従動部材の係合部の形状に対応しており、該摺動凹部は、一端が制限凹部と連通すると共に、他端が開口に向かって斜めに延出してガイドプレートの他側に貫通するように形成され、該摺動プレートは、一端が本体に結合するように、摺動可能にガイドプレートに設置され、該一端に制限部が設けられ、該制限部が制限凹部に挿設される。
【０００８】
かかるモバイルデバイスのセキュリティロックにおいて、
前記本体にガイド凹部が凹設され、
前記ガイドプレートにおけるガイド凹部の一側に、ガイド突起が凸設され、該ガイド突起は、ガイド凹部に挿設され、
前記ガイドバネは、ガイド凹部の内壁とガイド突起との間に設置されることが好ましい。
【０００９】
かかるモバイルデバイスのセキュリティロックにおいて、
前記本体は、２つの従動部材を備え、該２つの従動部材は、ガイドプレートの両側に対応するように収容凹部に設置され、該本体におけるガイドプレートの両側に２つの制限凹部が交差するように形成され、
前記ガイドプレートは、２つの係合凹部及び２つの摺動凹部を備え、該係合凹部の形状は、前記従動部材の係合部形状に対応し、該２つの摺動凹部は、斜めに延出して互いに交差するように、ガイドプレートの上側及び下側に形成され、更に、前記各摺動凹部は、一端を介して制限凹部と連通すると共に、他端が開口に向かって斜めに延出しながらガイドプレートの他側を貫通するように凹設され、
前記ロックユニットは、２つの摺動プレートを備え、該摺動プレートは、一端が本体に連結するように、摺動可能に摺動凹部に設置され、その一端に、制限凹部に挿設する制限部が設けられることが好ましい。
【００１０】
かかるモバイルデバイスのセキュリティロックにおいて、
前記本体は、２つの従動部材を備え、該２つの従動部材は、ガイドプレートの両側と対応するように収容凹部に設置され、該ガイドプレートの両側に、２つの制限凹部が交差して形成され、
前記ガイドプレートは、２つの係合凹部及び２つの摺動凹部を備え、該係合凹部の形状は、従動部材の係合部形状に対応しており、該２つの摺動凹部は、斜めに延出して互いに交差するように、ガイドプレートの上側及び下側に形成され、その一端が制限凹部と連通すると共に、他端が開口に向かって斜めに延出しながらガイドプレートの他側を貫通するように凹設され、
前記ロックユニットは、２つの摺動プレートを備え、該摺動プレートは、一端が本体に連結するように、摺動可能に摺動凹部に設置されると共に、その一端に、制限凹部に挿設する制限部が設けられることが好ましい。
【００１１】
かかるモバイルデバイスのセキュリティロックにおいて、
前記芯は、楕円形を呈し、前記錠部材が本体に対して回転すると、該芯が従動部材の当接部に当接することが好ましい。
【００１２】
かかるモバイルデバイスのセキュリティロックにおいて、
前記芯は、楕円形を呈し、前記錠部材が本体に対して回転すると、該芯が従動部材の当接部に当接することが好ましい。
【００１３】
かかるモバイルデバイスのセキュリティロックにおいて、
前記本体の開口に緩和部材が取り付けられ、該緩和部材は、ロックユニットの開口から延出する部分に環装されることが好ましい。
【００１４】
かかるモバイルデバイスのセキュリティロックにおいて、
前記本体の開口に緩和部材が取り付けられ、該緩和部材は、ロックユニットの開口から延出する部分に環装されることが好ましい。
【００１５】
かかるモバイルデバイスのセキュリティロックにおいて、
前記本体の開口に緩和部材が取り付けられ、該緩和部材は、ロックユニットの開口から延出する部分に環装されることが好ましい。
【００１６】
かかるモバイルデバイスのセキュリティロックにおいて、
ワイヤを有し、該ワイヤは、回動ヘッドを介して回転可能に本体に連結されることが好ましい。
【考案の効果】
【００１７】
本考案に係るモバイルデバイスのセキュリティロックは、上述した構成によると、簡単な構成を備えると共に、カギを使わなくてもモバイルデバイスをロックすることができることから、使いやすいロック手段を提供できる。また、本考案に係るモバイルデバイスのセキュリティロックは、緩和部材を備えることから、本体及びモバイルデバイスからの押圧力を緩和する効果を有するので、本体がモバイルデバイスの側面を傷つけることはない。
【００１８】
さらに、本考案に係るモバイルデバイスのセキュリティロックをロックする状態においては、本体及びモバイルデバイスが緩和部材を押圧し、緩和部材の付勢力により２つの摺動プレートをしっかりと係合チャンバーに係合させるので、ロックユニットを確固に係合チャンバーに係合することができる。
【図面の簡単な説明】
【００１９】
【図１】本考案に係るモバイルデバイスのセキュリティロックの斜視図である。
【図２】本考案に係るモバイルデバイスのセキュリティロックの分解斜視図である。
【図３】本考案に係るモバイルデバイスのセキュリティロックによる施錠操作を示す部分断面図である。
【図４】本考案に係るモバイルデバイスのセキュリティロックによる施錠操作を示す他の部分断面図である。
【図５】本考案に係るモバイルデバイスのセキュリティロックによる解錠操作を示す斜視図である。
【図６】本考案に係るモバイルデバイスのセキュリティロックによる解錠操作を示す部分断面図である。
【図７】本考案に係るモバイルデバイスのセキュリティロックによる解錠操作を示す他の部分断面図である。
【考案を実施するための形態】
【００２０】
本考案に係るモバイルデバイスのセキュリティロックの実施例は、図１及び図２に示すように、本体１０と、錠部材２０と、ロックユニット３０を有する。
【００２１】
前記本体１０は、下蓋１１と、上蓋１２と、収容凹部１３と、少なくとも１つの従動部材１４と、少なくとも１つの制限凹部１５を備える。本実施例における本体１０は、２つの従動部材１４及び２つの制限凹部１５を備え、前記下蓋１１に、複数の第一結合部１１１が間隔をおいて凹設され、該複数の第一結合部１１１は、固定穴であることが好ましく、該下蓋１１における複数の固定穴の間に、ガイド凹部１１２が下蓋１１の長手方向に沿って凹設される。
【００２２】
前記上蓋１２は、下蓋１１の上方に位置するように下蓋１１に組み合わされると共に、複数の第二結合部１２１が間隔をおいて凸設され、該複数の第二結合部１２１はそれぞれ、複数の第一結合部１１１に対応するように挿設され、この構成によれば、該下蓋１１と上蓋１２とを組み合せることができる。また、前記下蓋１１及び上蓋１２における一端に開口１６が形成され、該開口１６が本体１０の内部及び外部と連通する。
さらに、前記上蓋１２の上面にチューブ１２２が凸設され、該チューブ１２２の内部に、上蓋１２を上下方向に貫通する収容空間が形成され、該収容空間は、本体１０の外部及び内部と連通する。
【００２３】
前記収容凹部１３は、本体１０の短手方向に沿って下蓋１１と上蓋１２との間に形成され、ガイド凹部１１２の上側に位置しながらガイド凹部１１２と交差する。前記２つの従動部材１４は、ガイド凹部１１２の両側に位置するように収容凹部１３に配置されると共に、該各従動部材１４は、弾性部材１０１により収容凹部１３の内壁に当接する。この構成によれば、該各従動部材１４は、摺動可能に収容凹部１３に配置され、また、前記２つの従動部材１４における相対する側面にそれぞれ、係合部１４１及び当接部１４２が設けられ、そのうち係合部１４１は、該従動部材１４における下蓋１１の近傍に設けられ、当接部１４２は、該従動部材１４における上蓋１２の近傍に設けられる。前記２つの制限凹部１５は、下蓋１１及び上蓋１２における開口１６の近傍に凹設され、該開口１６の短手方向の両端に位置すると共に、互いに交差して形成される。
【００２４】
前記錠部材２０は、下座部２１及び上座部２２を備え、本体１０に取り付けられると共に、該本体１０の内部から外部に突出するように上蓋１２のチューブ１２２に設置され、該下座部２１は、チューブ状を呈し、本体１０における下蓋１１の一側に配置され、該上座部２２は、複数本の長さが異なるピンにより下座部２１に貫設されると共に、該本体１０における上蓋１２の一側に配置され、その一端に芯２２１が設けられ、他端にカム２２２が設けられ、該芯２２１は、楕円形を呈し、該下座部２１から突出して２つの従動部材１４の当接部１４２に当接し、該カム２２２は、チューブ１２２の開口の近傍に位置し、複数のピンを押し下げるためのカギ６０を挿入し（図５の如く）、該カギ６０を回転させると、カム２２２も回転することから、上座部２２が下座部２１に対して回転する。
【００２５】
前記ロックユニット３０は、ガイドプレート３１及び少なくとも１つの摺動プレート３２を備え、錠部材２０の下方に位置するように本体１０に取り付けられると共に、２つの従動部材１４を介して錠部材２０に連結される。本実施例におけるロックユニット３０は、１つのガイドプレート３１及び２つの摺動プレート３２を備え、該ガイドプレート３１は、前記下蓋１１に設置したガイドバネ３０１を介して該下蓋１１の長手方向に沿って移動可能に本体１０の下蓋１１の内部に取り付けられ、該ガイドプレート３１の一端は、開口１６を通って本体１０の外部に延出し、また、該ガイドプレート３１は、ガイド突起３１１と、２つの係合凹部３１２と、２つの摺動凹部３１３を備え、該ガイド突起３１１は、ガイドプレート３１の中段における下蓋１１の一側に向かって凸設されると共に、ガイド凹部１１２に挿入する。この構成よれば、ガイドプレート３１は、本体１０の下蓋１１の長手方向に沿って移動することができ、前記ガイドバネ３０１は、開口１６と反対する側のガイド突起３１１とガイド凹部１１２との間に取り付けられる。
【００２６】
前記２つの係合凹部３１２は、従動部材１４の係合部１４１の形状に対応すると共に、ガイドプレート３１の短手方向の両側に凹設され、前記２つの摺動凹部３１３は、ガイドプレート３１の上側及び下側に凹設され、その一端が制限凹部１５と連通すると共に、他端が開口１６に向かって斜めに延出してガイドプレート３１の他側に貫通するように形成され、前記２つの摺動プレート３２はそれぞれ、一端が開口１６から本体１０に結合するように、摺動可能にガイドプレート３１の上側及び下側の摺動凹部３１３に設置され、該各摺動プレート３２における、本体１０に挿入した一端に制限部３２１が設けられ、該制限部３２１は制限凹部１５に挿設される。尚、この構成によれば、摺動プレート３２が摺動凹部３１３に対して摺動可能な範囲を制限することができる。
【００２７】
前記緩和部材４０は、発泡プラスチックからなるリングであり、本体１０の開口１６に取り付けられると共に、ロックユニット３０における開口１６から延出する部分に環装される。
【００２８】
前記本体１０の、下蓋１１及び上蓋１２における開口１６と反対する端にそれぞれ結合部１０２が設けられ、該結合部１０２により本体１０にワイヤ５０が結合され、該下蓋１１と上蓋１２とを組み合せると、下蓋１１及び上蓋１２の結合部１０２にワイヤ５０の回動ヘッド５１が取り付けられ、この構成によれば、該ワイヤ５０は、回動ヘッド５１に対して回動自在となり、或いは、回動ヘッド５１により本体１０に対してスウィングする。
【００２９】
図３及び図４に示すように、本考案に係るモバイルデバイスのセキュリティロックを用いて、パソコンまたはパネルコンピュータなどのモバイルデバイス８０をロックする場合、まずガイドプレート３１を開口１６から引き出して、広い外部及び狭い内部を有する係合チャンバー８１の内壁に当接するように、モバイルデバイス８０の係合チャンバー８１に挿入する。この構成によれば、ガイドプレート３１が係合チャンバー８１により本体１０の内部に押し込まれてガイドバネ３０１を圧縮し、２つの摺動プレート３２がそれぞれ、摺動凹部３１３に沿って移動すると共に、本体１０に対して制限凹部１５の制限範囲内で本体１０の短手方向に移動することから、ガイドプレート３１の外部に延出してモバイルデバイス８０の係合チャンバー８１に係合される（図４の如く）。
【００３０】
前記２つの摺動プレート３２が、係合チャンバー８１に当接して係合されると、前記２つの従動部材１４がガイドプレート３１の両側の係合凹部３１２に対応するように、弾性部材１０１により係合凹部３１２に嵌め込まれる。この構成によれば、前記２つの従動部材１４がガイドプレート３１を位置決めて固定すると共に、前記２つの摺動プレート３２が係合チャンバー８１に係合されることによりモバイルデバイス８０をロックし、この時、前記緩和部材４０は、本体１０とモバイルデバイス８０の外壁の間に介在することから、本体１０及びモバイルデバイス８０からの押圧力を受ける。
【００３１】
図５乃至図７に示すように、本考案に係るモバイルデバイスのセキュリティロックを解錠する時は、錠部材２０に合うカギ６０をカム２２２及び本体１０に挿入してカム２２２に対して回転させると、錠部材２０の芯２２１が回転して両側の従動部材１４に当接して係合凹部３１２から押し出す。この時、ガイドバネ３０１の付勢力により本体１０をモバイルデバイス８０から離れるように移動させると、２つの摺動プレート３２が係合チャンバー８１から離間する。この構成によれば、モバイルデバイスのセキュリティロックをモバイルデバイス８０から解錠することができる。
【００３２】
本考案に係るモバイルデバイスのセキュリティロックは、上述した構成によれば、簡単な構成を備えると共に、カギ６０を使わなくてもモバイルデバイス８０をロックすることができることから、使いやすいロック手段を提供できる。また、本考案に係るモバイルデバイスのセキュリティロックは、緩和部材４０を備えることから、本体１０及びモバイルデバイス８０からの押圧力を緩和する効果を有するので、本体１０がモバイルデバイス８０の側面を傷つけることはない。
【００３３】
さらに、本考案に係るモバイルデバイスのセキュリティロックをロックした状態においては、本体１０及びモバイルデバイス８０が緩和部材４０を押圧するが、緩和部材４０の付勢力により２つの摺動プレート３２をしっかりと係合チャンバー８１に係合させるため、ロックユニット３０を係合チャンバー８１に強固に係合することができる。
【符号の説明】
【００３４】
１０      本体
１０１    弾性部材
１０２    結合部
１１      下蓋
１１１    第一結合部
１１２    ガイド凹部
１２      上蓋
１２１    第二結合部
１２２    チューブ
１３      収容凹部
１４      従動部材
１４１    係合部
１４２    当接部
１５      制限凹部
１６      開口
２０      錠部材
２１      下座部
２２      上座部
２２１    芯
２２２    カム
３０      ロックユニット
３０１    ガイドバネ
３１      ガイドプレート
３１１    ガイド突起
３１２    係合凹部
３１３    摺動凹部
３２      摺動プレート
３２１    制限部
４０      緩和部材
５０      ワイヤ
５１      回動ヘッド
６０      カギ
８０      モバイルデバイス
８１      係合チャンバー
【図１】
0003216123.tif 000003
【図２】
0003216123.tif 000004
【図３】
0003216123.tif 000005
【図４】
0003216123.tif 000006
【図５】
0003216123.tif 000007
【図６】
0003216123.tif 000008
【図７】
0003216123.tif 000009